(57)【要約】【課題】  不織布によって形成される使い捨ての防護服において、脱衣を容易にして感染防止対策を可能とすることができる不織布の引き裂き分離構造を提供する。【解決手段】  不織布の引き裂き分離構造は、熱可塑性樹脂繊維からなる２枚の不織布１を分離するための構造であって、不織布１を分離する分離線３は、２枚の不織布１の端部が超音波により線状に溶着されて硬化することにより形成され、分離線３の両側を不織布１の面に対して互いに上下方向に引き裂くことにより分離するように構成する。【選択図】図１
0003235410.tif 000002
【実用新案登録請求の範囲】
【請求項１】
熱可塑性樹脂繊維からなる２枚の不織布を分離するための構造であって、
前記不織布を分離する分離線は、２枚の前記不織布の端部が超音波により線状に溶着されて硬化することにより形成され、
前記分離線の両側を前記不織布の面に対して互いに上下方向に引き裂くことにより分離する不織布の引き裂き分離構造。
【請求項２】
前記分離線は、重合した２枚の前記不織布を前記超音波の溶着により線状に硬化され、この硬化部分の左右を開拡した２枚の前記不織布の間に前記分離線が形成されている請求項１に記載の不織布の引き裂き分離構造。
【請求項３】
複数枚の前記不織布を前記超音波の溶融により接合して形成される衣服は、接合された個所に硬化された前記分離線が形成され、前記分離線を引き裂くことにより前記不織布を分離して前記衣服を脱衣するように構成した請求項１に記載の不織布の引き裂き分離構造。
【請求項４】
前記衣服は、防護服のズボンであり、前記不織布により前身頃と後見頃が重ね合わせられ、少なくとも左右両側に前記超音波により線状に硬化させた前記分離線が形成された請求項３に記載の不織布の引き裂き分離構造。
【考案の詳細な説明】
【技術分野】
【０００１】  本考案は、不織布を互いに分離することができる分離構造に関し、特に、不織布によって形成される使い捨ての防護服に好適な不織布の引き裂き分離構造に関する。
【背景技術】
【０００２】  従来から、一般に、医療分野、介護分野においては、新型コロナウイルス等の感染症疾患の患者に対応するときには、感染を防止するために、使い捨ての医療用ガウンが使用されている。この医療用ガウンとしては、実開昭６１−１３３５１４号公報（特許文献１）に開示されているように、不織布を着衣の各部分の形状に裁断し、それらをヒートシールによって接合することにより形成している。また、実用新案登録第３２２８３８９号公報（特許文献２）に開示されたガウンは、１枚のシートによって、腕被覆部、肩被覆部、胴被覆部、及び頭部挿入部を形成し、腕被覆部の両側部にシール部を装着している。さらに、実開平６−５４７１９号公報（特許文献３）に開示された使い捨て手術用ガウンは、前身頃と左右後身頃とからなる主体を一枚の不織布からなる通気性主体シートによってつくられている。
【先行技術文献】
【特許文献】
【０００３】
【特許文献１】実開昭６１−１３３５１４号公報
【特許文献２】実用新案登録第３２２８３８９号公報
【特許文献３】実開平６−５４７１９号公報
【考案の開示】
【考案が解決しようとする課題】
【０００４】  上記特許文献１乃至特許文献３に開示されたガウンは、着用することによって、新型コロナウイルス等からの感染防止に寄与している。このガウンは、治療や介護が終了した後に脱衣し、所定の容器等に廃棄処分する必要がある。ところが、ガウンの表面は、ウイルス等が付着した汚染面となっていることから、感染防止のためには、表面の汚染物が露出しない、すなわち汚染面が内側となる状態にしてから廃棄処分する必要がある。また、感染防止のためには、ガウンを着用した医療従事者、或いは介護従事者が自ら汚染面に触らず容易・短時間に脱衣しなければならない。【０００５】  しかしながら、上記特許文献１乃至特許文献３に開示されたガウンは、医療従事者や介護従事者が着衣することによって感染防止を行うことが開示されているが、他人への感染防止にための廃棄処分については考慮されていない。このため、ウイルス等が付着した汚染面が露出した状態で脱衣し、容器等に廃棄することから、再感染の危険を伴う問題があった。また、医療従事者や介護従事者が、汚染面を内側にするようにガウンを脱衣ことは困難を伴う問題もあった。【０００６】  本考案の課題は、特に、不織布によって形成される使い捨ての防護服において、脱衣を容易にして感染防止対策を可能とすることができる不織布の引き裂き分離構造を提供することにある。
【課題を解決するための手段】
【０００７】  上記課題を解決するため、本考案による不織布の引き裂き分離構造は、熱可塑性樹脂繊維からなる２枚の不織布を分離するための構造であって、前記不織布を分離する分離線は、２枚の前記不織布の端部が超音波により線状に溶着されて硬化することにより形成され、前記分離線の両側を前記不織布の面に対して互いに上下方向に引き裂くことにより分離するように構成したことを要旨としている。【０００８】  また、前記分離線は、重合した２枚の前記不織布を前記超音波の溶着により線状に硬化され、この硬化部分の左右を開拡した２枚の前記不織布の間に前記分離線が形成されるようにしている。【０００９】  さらに、複数枚の前記不織布を前記超音波の溶融により接合して形成される衣服は、接合された個所に硬化された前記分離線が形成され、前記分離線を引き裂くことにより前記不織布を分離して前記衣服を脱衣するように構成される。【００１０】  さらにまた、前記衣服は、防護服のズボンであり、前記不織布により前身頃と後見頃が重ね合わせられ、少なくとも左右両側に前記超音波により線状に硬化させた前記分離線が形成される。
【考案の効果】
【００１１】  本考案の不織布の引き裂き分離構造によれば、超音波による溶着によって２枚の不織布の接合部には分離線が形成される。この分離線は、不織布の繊維が溶解した後、冷却して硬化するが、２枚の不織布が強固に溶着されているので、分離線における面方向の引っ張り強度は高い。一方、分離線は溶解後に硬化していることから、不織布の面に対して互いに上下の逆方向に引っ張ったときには、分離線に破断が生じて分離する。このように、不織布の繊維を溶解させた後に硬化させた分離線は、面方向には高い引っ張り強度を有し、上下の引き裂き方向には容易に分離することができる。【００１２】  また、分離線は、重合した２枚の不織布を超音波の溶着により線状に硬化し、この硬化部分の左右を開拡することにより形成されているので、１枚の平坦な不織布の形成することができる。【００１３】  さらに、複数枚の不織布を超音波の溶融により接合して形成される衣服は、分離することが必要な部位に分離線を形成することにより、衣服を脱衣するときに、分離線を引き裂くだけの簡易な手段によって不織布を分離することができるので、分離した部分が開放されて容易に脱衣することが可能となる。【００１４】  さらにまた、衣服としての防護服のズボンに適用し、不織布により前身頃と後見頃が重ね合わせられた少なくとも左右両側に分離線を形成すると、ズボンを脱衣するとき、分離線の一端を上下の引き裂き方向に引っ張ることにより容易に分離することできる。このように分離することにより、ズボンの左右が開放されるので、容易に脱衣することが可能となる。また、ズボンを脱衣するとき、裾部分から上方に持ち上げる又は腰部分から裾方向に引き下げると、汚染された表面が内方に移行し、表面同士が対面して隠蔽されるので、有効な感染防止対策とすることができる。
【図面の簡単な説明】
【００１５】
【図１】本考案による不織布の引き裂き分離構造を示す斜視図である。
【図２】不織布の分離線を示す断面図である。
【図３】２枚の不織布を超音波の溶融により接合する状態を示す説明図である。
【図４】超音波により接合された２枚の不織布を平坦に拡開する状態を示す断面図である。
【図５】不織布の引き裂き分離構造を適用したズボンを示す平面図である。
【図６】図５のＡ−Ａ断面図である。
【図７】図５に示すズボンの変形例を示す平面図である。
【図８】図５に示すズボンの脱衣状態を示す説明図である。
【考案を実施するための形態】
【００１６】  本考案による不織布の引き裂き分離構造は、熱可塑性樹脂繊維からなる２枚の不織布を分離するための構造であって、前記不織布を分離する分離線は、２枚の前記不織布の端部が超音波により線状に溶着されて硬化することにより形成され、前記分離線の両側を前記不織布の面に対して互いに上下方向に引き裂くことにより分離するように構成している。
【００１７】  以下、図面に基づいて本考案の実施例について説明する。図１は、本考案による不織布の引き裂き分離構造の実施例を示している。不織布１は、熱可塑性樹脂繊維を織らずに絡み合わせたシートであり、ポリプロピレン、ポリエステル等の繊維を使用している。特に医療用に用いられるアイソレーションガウン等の使い捨て防護服としては、ポリプロピレンＳＢ不織布が好適である。
【００１８】  不織布を使用した防護服は、一般に超音波溶着器により熱可塑性樹脂繊維を溶融して溶着又は切断することにより製作される。図３は、２枚の不織布１を切断するための超音波溶着器２を示している。切断用の超音波溶着器２は、上面が平坦な超音波振動体２ａと、先端を所定の角度に形成した切断刃２ｂから構成され、重ね合わせた２枚の不織布１を超音波振動体２ａの上面に載置し、上方から切断刃２ｂを不織布１に押圧することにより、不織布１を溶融して切断される。また、切断刃２ｂをローラ状に構成し、不織布１を超音波振動体２ａで移動することにより、不織布１は線状に切断される。そして、切断された端材１ａは点線で示すように除去される。
【００１９】  不織布１を超音波溶着器２によって切断するとき、不織布１は超音波振動体２ａに近い切断刃２ｂの先端側の繊維が溶融することによって切断されるが、切断刃２ｂの側面に面した２枚の不織布１の端部の繊維も溶融される。その後、溶融した繊維が冷却することにより硬化することによって、２枚の不織布１の端面が結合される。不織布１が線状に切断されることにより、不織布１の繊維が線状に硬化した分離線３が形成される。そして、図４に示すように、分離線３が形成された２枚の不織布１の一方を拡開することにより、分離線３によって連結した状態で、図２に示すように平坦になる。
【００２０】  このように、２枚の不織布１の間に形成された分離線３は、熱可塑性樹脂繊維が硬化している。そして、図１に示すように、２枚の不織布１の一方の不織布１を矢示の上方に、他方の不織布１を矢示の下方に、不織布１の面に対して互いに上下の逆方向に引裂く力が加わると、分離線３の線方向端部に応力が集中し硬化部が比較的弱い力で破断し、その破断が分離線３に沿って連続的に伝搬することにより、２枚の不織布１が一気に破断して分離する。このような破断は、当初、不織布１の端部を引き裂くことにより、容易に分離することができる。
【００２１】  一方、分離線３によって連結した２枚の不織布１を面と
平行に引っ張った場合（着衣時に荷重が加わる方向）は、荷重を分離線全体で分散保持するので充分な強度を保持するので、簡単に破断分離することはない。このため、着衣したときは十分な強度を保持している。そして、上下方向に引裂く事で簡単に脱ぐことが可能となる。
【００２２】  図５は、医療用に用いられるアイソレーションガウンとともに使用される防護服等の衣服としての使い捨てのズボン４に、本考案による不織布の引き裂き分離構造を適用した例を示している。ズボン４は、前述した不織布と同様に、ポリプロピレン、ポリエステル等の繊維からなるシート状の不織布５によって形成されていて、図示前方の前身頃４ａと背面側の後見頃４ｂから構成されている。そして、前身頃４ａと後見頃４ｂの両側は、不織布の引き裂き分離構造の分離線６が形成されている。また、前身頃４ａと後見頃４ｂの中心側の股下は、超音波溶着器による溶着又はミシンにより縫合されている。また、上方のウエスト部４ｃは開放されている。また、分離線６の外方には、ベルト部７が形成されている。
【００２３】  ベルト部７は、分離線６の外方に前身頃４ａと後見頃からなる２枚の不織布５が重合されていて、図５に示す円内、及び、図６のＡ−Ａ断面図に示すように、所定幅かつ所定間隔のスポット溶着部７ａが帯状に形成されている、このベルト部７、及び、分離線６は、ウエスト部４ｃの近傍まで施され、ウエスト部４ｃの上端との間は、溶着しない。このため、ウエスト部４ｃの上端の部分から分離線６に沿って引き裂くことにより、ズボン４の上部から脱衣することが可能となる。
【００２４】  ズボン４は、通常のズボンと同様に、ウエスト部４ｃを開口して着用者の足を挿入することにより着用するが、着用する前に、予めベルト部７を分離する。ベルト部７は前述したように、ズボン４との間に分離線６が形成されている。まず、ズボン４の裾部から、不織布５の面に対して互いに上下の逆方向に引き裂くと、分離線６に破断が生じてベルト部７が分離する。その後、引き続き引き裂くことにより、図７に示すように、ベルト部７が分離線６従って分離される。このように、ベルト部７を分離しても、前身頃４ａと後見頃４ｂは、平行に引っ張られることになるので、前述したように、硬化した分離線６には破断が生じないので、不織布５の本来の引っ張り強度を保持し、分離することはない。その後、通常のズボンと同様に着用したとき、前身頃４ａと後見頃４ｂの不織布５は、ズボン４を着用した後、分離されたベルト部７を腰に回し、ウエスト部４ｃの周囲を二点鎖線で示すように結ぶことにより、ズボン４の脱衣が阻止される。
【００２５】  ズボン４を脱衣するときは、図８の右方に示すように、まず、ズボン４の裾部の前身頃４ａと後見頃４ｂの不織布５を、図１に示したように、面に対して互いに上下の逆方向に引き裂くと、分離線６に破断が生じて前身頃４ａと後見頃４ｂの不織布５が分離する。その後、引き続き引き裂くことにより、図７の左方に示すように、分離線６に従ってウエスト部４ｃの近傍まで分離され、左右が開放される。この状態から、ズボン４の裾部を持ちながらウエスト部４ｃの方向に引き上げると、汚染されたズボン４の表面が内方に移行するので、表面が内面に隠蔽される。そして、通常のように、ズボン４を脱衣したのち、所定の容器に収納することにより、汚染した表面を隠蔽した状態で廃棄処分することができる。また、上述したように、ウエスト部４ｃの上端の部分から分離線６に沿って引き裂いたズボン４の上部から脱衣する場合には、ウエスト部４ｃから外側に丸め込み、足元方向に引き裂きながら脱衣することにより、汚染した表面を隠蔽した状態で廃棄処分することができる。
【００２６】  以上、本考案を実施例に基づき具体的に説明したが、本考案は上記実施例に限定されるものではなく、その要旨を逸脱しない範囲で種々変形可能であることは言うまでもない。例えば、衣服として、使い捨てのズボンを例示したが、医療用に用いられるアイソレーションガウン等の使い捨て防護服、或いは、介護用下着や衣服、使い捨て手袋、その他、容易に中身が取り出せる包装用の袋や物入れに、引き裂き分離構造を適用しても良い。
【符号の説明】
【００２７】１    不織布
２    超音波溶着器
３    分離線
４    ズボン
６    分離線
【図１】
0003235410.tif 000003
【図２】
0003235410.tif 000004
【図３】
0003235410.tif 000005
【図４】
0003235410.tif 000006
【図５】
0003235410.tif 000007
【図６】
0003235410.tif 000008
【図７】
0003235410.tif 000009
【図８】
0003235410.tif 000010